(57)【要約】【課題】上蓋の閉状態におけるロックに対するロック解除防止効果の高い保管容器の提供を目的とする。【解決手段】容器本体１１の壁部外面には、上蓋２１の閉状態時に把持片本体爪２９、２９と係合する把持片本体爪受け部１９、１９を有し、容器本体１１の壁部外面に、閉状態の上蓋２１の把持片２５を外側から覆う大きさのロックカバー部材５２が回動可能に取り付けられ、ロックカバー部材５２には、起立時に上蓋２１の把持片本体部２６の側部に係合する側部係合爪５７、５７が設けられ、起立状態とされたロックカバー部材５２の両側部間に解除キーのキー本体部を挿入することにより、側部係合爪５７、５７による係合を解除する。【選択図】図３
2014189295.tif 000002
【特許請求の範囲】
【請求項１】
上面が開口した容器本体と、前記容器本体の上面開口部を開閉可能な上蓋と、前記上蓋による閉状態をロックするロック装置とを備え、解除キーによって前記閉状態のロックを解除する保管容器において、
前記上蓋は、一端側が前記容器本体の上面開口部の外側に回動可能に取り付けられ、反対側の縁から下方へ延設された把持片本体部で構成される把持片を有し、
前記把持片は、前記把持片本体部の容器本体側の面に該容器本体側へ突出する把持片本体爪を有し、
前記容器本体の壁部外面には、前記上蓋の閉状態時に前記把持片本体爪と係合する把持片本体爪受け部を有し、
前記把持片本体爪受け部は、前記上蓋の回動による閉によって、前記把持片本体爪が前記把持片本体爪受け部の下に進入して前記把持片本体爪受け部と前記把持片本体爪が上下に重なる位置に設けられ、
前記ロック装置は、前記容器本体の壁部外面に沿う起立状態と前記容器本体の壁部外面から上部側が離れて倒れた傾斜状態間を下部側を回動支点として回動可能に前記容器本体の壁部外面に取り付けられたロックカバー部材を有し、
前記ロックカバー部材は、前記起立状態とされた際に前記閉状態の前記上蓋の把持片を外側から覆うことのできる大きさからなり、前記ロックカバー部材の両側部には前記起立状態とされた際に前記閉状態の上蓋の把持片本体部の側部に外側から係合して該ロックカバー部材の回動を防止する側部係合爪を有し、
前記解除キーは、前記上蓋の閉状態において起立状態とされた前記ロックカバー部材の両側部間に上方から挿入可能なキー本体部を備え、
前記キー本体部には、前記側部係合爪間を押し拡げて前記上蓋の把持片本体部の側部に対する前記側部係合爪の係合を解除する第一ロック解除部を備え、
前記上蓋の閉状態で前記ロックカバー部材を起立させることによって前記閉状態がロックされたロック状態において、前記ロックカバー部材の両側部間に前記キー本体部を挿入することによって、前記側部係合爪間が押し拡げられて前記閉状態のロックが解除されることを特徴とする保管容器。
【請求項２】
前記把持片は、前記把持片本体部の下部から該把持片本体部の前面に対して外方へ突出した把持片先端部を有し、前記ロック状態では、前記把持片先端部の先端と前記ロックカバー部材の前側壁部との隙間が、前記把持片本体爪と前記把持片本体爪受け部との重なり寸法より小さくなることを特徴とする請求項１に記載の保管容器。
【請求項３】
前記ロックカバー部材の上部内面には、前記起立状態とされた際に前記閉状態の上蓋の前記把持片先端部に係合して前記把持片先端部の上方移動を防止する上部突起を有することを特徴とする請求項２に記載の保管容器。
【請求項４】
前記ロックカバー部材の上部内面には、前記起立状態とされた際に前記閉状態の上蓋の前記把持片本体部へ向けて突出する上部突起を有し、前記ロック状態では、前記把持片本体部と前記上部突起との隙間が前記把持片本体爪と前記把持片本体爪受け部との重なり寸法より小さくなることを特徴とする請求項１に記載の保管容器。
【請求項５】
前記キー本体部は、前記側部係合爪の係合解除後に前記ロックカバー部材の上部側を該ロックカバー部材の倒れる方向へ押して前記ロックカバー部材を倒す第二ロック解除部を備えていることを特徴とする請求項１から４の何れか一項に記載の保管容器。
【請求項６】
前記ロックカバー部材の前側壁部の外面には、前記ロックカバー部材の起立状態時に上部となる位置に解除キーガイド入り口部が上向き筒状に形成され、
前記解除キーは、前記第一ロック解除部が前記ロックカバー部材の両側部間に挿入される際に前記解除キーガイド入り口部に挿入される解除キーガイド部を備えていることを特徴とする請求項１から５の何れか一項に記載の保管容器。
【請求項７】
前記ロック装置は、ロック装置プレートに前記ロックカバー部材が設けられ、前記ロック装置プレートが前記容器本体の壁部外面に取り付けられていることを特徴とする請求項１から６の何れか一項に記載の保管容器。
【発明の詳細な説明】
【技術分野】
【０００１】
本発明は、牛乳ビンやヨーグルト容器、ジュース等を一時的に収容し、上蓋を閉じた状態でロックすることが可能な保管容器に関する。
【背景技術】
【０００２】
従来、玄関等に保管容器を設け、配達される牛乳ビンやヨーグルト容器等を保管容器に収容して一時的に保管することが行われている。
前記保管容器は、上面が開口して内部が物品保管部とされた容器本体と、容器本体の上面開口部を開閉可能な上蓋とで構成されている。
また、保管容器は玄関等の屋外に配置されることが多く、配達された牛乳ビン等を家人が取り出す前に盗難に会うおそれがあるため、上蓋の開放を防止するロック機構を設けたものが提案されている。
【０００３】
しかし、ロック機構を有する従来の保管容器は、細長い板状の解除キーを挿入して、一箇所の係合爪を押すことによってロックを解除するものであるため、他の細長い板状体を挿入してもロックを解除することが可能であり、ロック解除防止が充分とは言いがたかった。
【先行技術文献】
【特許文献】
【０００４】
【特許文献１】特開２００４−１００９２号公報
【発明の概要】
【発明が解決しようとする課題】
【０００５】
本発明は前記の問題に鑑みてなされたものであり、正しい解除キーを使用しなければロック解除が難しい、ロック解除防止効果の高い保管容器の提供を目的とする。
【課題を解決するための手段】
【０００６】
請求項１の発明は、上面が開口した容器本体と、前記容器本体の上面開口部を開閉可能な上蓋と、前記上蓋による閉状態をロックするロック装置とを備え、解除キーによって前記閉状態のロックを解除する保管容器において、前記上蓋は、一端側が前記容器本体の上面開口部の外側に回動可能に取り付けられ、反対側の縁から下方へ延設された把持片本体部で構成される把持片を有し、前記把持片は、前記把持片本体部の容器本体側の面に該容器本体側へ突出する把持片本体爪を有し、前記容器本体の壁部外面には、前記上蓋の閉状態時に前記把持片本体爪と係合する把持片本体爪受け部を有し、前記把持片本体爪受け部は、前記上蓋の回動による閉によって、前記把持片本体爪が前記把持片本体爪受け部の下に進入して前記把持片本体爪受け部と前記把持片本体爪が上下に重なる位置に設けられ、前記ロック装置は、前記容器本体の壁部外面に沿う起立状態と前記容器本体の壁部外面から上部側が離れて倒れた傾斜状態間を下部側を回動支点として回動可能に前記容器本体の壁部外面に取り付けられたロックカバー部材を有し、前記ロックカバー部材は、前記起立状態とされた際に前記閉状態の前記上蓋の把持片を外側から覆うことのできる大きさからなり、前記ロックカバー部材の両側部には前記起立状態とされた際に前記閉状態の上蓋の把持片本体部の側部に外側から係合して該ロックカバー部材の回動を防止する側部係合爪を有し、前記解除キーは、前記上蓋の閉状態において起立状態とされた前記ロックカバー部材の両側部間に上方から挿入可能なキー本体部を備え、前記キー本体部には、前記側部係合爪間を押し拡げて前記上蓋の把持片本体部の側部に対する前記側部係合爪の係合を解除する第一ロック解除部を備え、前記上蓋の閉状態で前記ロックカバー部材を起立させることによって前記閉状態がロックされたロック状態において、前記ロックカバー部材の両側部間に前記キー本体部を挿入することによって、前記側部係合爪間が押し拡げられて前記閉状態のロックが解除されることを特徴とする。
【０００７】
請求項２の発明は、請求項１において、前記把持片は、前記把持片本体部の下部から該把持片本体部の前面に対して外方へ突出した把持片先端部を有し、前記ロック状態では、前記把持片先端部の先端と前記ロックカバー部材の前側壁部との隙間が、前記把持片本体爪と前記把持片本体爪受け部との重なり寸法より小さくなることを特徴とする。
【０００８】
請求項３の発明は、請求項２において、前記ロックカバー部材の上部内面には、前記起立状態とされた際に前記閉状態の上蓋の前記把持片先端部に係合して前記把持片先端部の上方移動を防止する上部突起を有することを特徴とする。
【０００９】
請求項４の発明は、請求項１において、前記ロックカバー部材の上部内面には、前記起立状態とされた際に前記閉状態の上蓋の前記把持片本体部へ向けて突出する上部突起を有し、前記ロック状態では、前記把持片本体部と前記上部突起との隙間が前記把持片本体爪と前記把持片本体爪受け部との重なり寸法より小さくなることを特徴とする。
【００１０】
請求項５の発明は、請求項１から４の何れか一項において、前記キー本体部は、前記側部係合爪の係合解除後に前記ロックカバー部材の上部側を該ロックカバー部材の倒れる方向へ押して前記ロックカバー部材を倒す第二ロック解除部を備えていることを特徴とする。
【００１１】
請求項６の発明は、請求項１から５の何れか一項において、前記ロックカバー部材の前側壁部の外面には、前記ロックカバー部材の起立状態時に上部となる位置に解除キーガイド入り口部が上向き筒状に形成され、前記解除キーは、前記第一ロック解除部が前記ロックカバー部材の両側部間に挿入される際に前記解除キーガイド入り口部に挿入される解除キーガイド部を備えていることを特徴とする。
【００１２】
請求項７の発明は、請求項１から６の何れか一項において、前記ロック装置は、ロック装置プレートに前記ロックカバー部材が設けられ、前記ロック装置プレートが前記容器本体の壁部外面に取り付けられていることを特徴とする。
【発明の効果】
【００１３】
本発明によれば、上蓋による閉状態時にロックカバー部材を起立させて上蓋の把持片を覆うことにより、把持片本体部の側部にロックカバー部材の側部係合爪が係合するため、閉状態のロックを容易に行うことができる。また、閉状態のロックを解除するには、把持片本体部の側部の係合を解除する事が可能な解除キーを用いなければならず、正しい解除キーを用いない場合にはロック解除が容易ではなく、ロック解除防止効果を高めることができる。
【００１４】
さらに請求項７の発明によれば、保管容器の使用者の要求に応じてロック装置を容器本体に設けたり、設けないようにしたりすることが簡単に可能となる。
【図面の簡単な説明】
【００１５】
【図１】本発明の一実施形態に係る保管容器の分解斜視図である。
【図２】ロック装置と解除キーの斜視図である。
【図３】ロック装置が取り付けられた保管容器の斜視図である。
【図４】ロック前の閉状態を示す保管容器の斜視図である。
【図５】ロック状態を示す保管容器の斜視図と右側面図である。
【図６】ロック状態を示す保管容器の正面図である。
【図７】図６−のＡ−Ａ断面図である。
【図８】図６のＢ部拡大図である。
【図９】解除キーを挿入する際を示す保管容器と解除キーの斜視図である。
【図１０】解除キーを挿入する際の右側面図と解除キー挿入途中の斜視図である。
【図１１】他の実施形態の保管容器におけるロック状態を示す断面図である。
【発明を実施するための形態】
【００１６】
図１及び図３に示す本発明の一実施形態の保管容器１０は、容器本体１１、上蓋２１、ロック装置４１及びポケット部材６５で構成され、前記容器本体１１に対する上蓋の閉状態のロックを、図２に示す解除キー８１によって解除可能なものである。
【００１７】
前記容器本体１１は、上面が開口して内部が物品保管部となった箱体からなり、平面視外形が長方形からなる。前記容器本体１１は、プラスチック製の外壁部１４と内壁部１５とその間に挟まれた発泡体（図示せず）とよりなる三層構造からなり、前記発泡体により良好な保冷性を有する。前記容器本体１１の外壁部１４の前側外面１６には、略下半部の左右の縁にポケット部材取付孔１７が上下４箇所に形成されている。また、前記容器本体１１の上端外周にはフランジ１８が形成され、前記フランジ１８の下部には、前記容器本体１１の前面側の位置に、把持片本体爪受け部１９、１９が下向きに形成されている。前記把持片本体爪受け部１９、１９の下面は孔になっており、後述のロック装置プレート４２の上部固定用突部４７、４７の挿入に利用される。
【００１８】
一方、前記上蓋２１は、前記容器本体１１の上面開口部１２に被さる大きさからなり、後端側２２が前記容器本体１１の上面開口部１２の後部外側にヒンジ部材（図５及び図１０の符号９１で示す）で回動可能に取り付けられ、反対の前端側（すなわち自由端側）２３には把持片２５を有する。前記把持片２５は、前記前端側２３の縁から下方へ延設された把持片本体部２６と、前記把持片本体部２６の下部から該把持片本体部２６の前面２７に対して外方（前方）へ突出した把持片先端部２８とで構成されている。前記把持片本体部２６の容器本体１１側の面（背面）には、該容器本体１１側へ突出する把持片本体爪２９、２９を横方向に離れて有する。前記把持片本体爪２９、２９は、前記上蓋２１を回動により閉じた際に、図７及び図８に示すように、前記容器本体１１の把持片本体爪受け部１９、１９の下側に進入して前記把持片本体爪受け部１９、１９と前記把持片本体爪２９、２９が上下に重なって係合する位置に設けられている。前記上蓋２１は、ロック解除状態で、前記把持片先端部２８を使用者が外方へ曲げるようにして上げることにより、前記把持片本体爪受け部１９、１９と前記把持片本体爪２９、２９の係合を解除することができ、その状態で前記上蓋２１を上方へ回動させることにより、前記容器本体１１の上面開口部１２を開口させることができる。前記上蓋２１はプラスチック製の外層部材とその内面に設けられた発泡体とからなり、発泡体によって保冷性が高められている。
【００１９】
前記ロック装置４１は、本実施例では、ロック装置プレート４２とロックカバー部材５２とよりなる。図２にロック装置プレート４２とロックカバー部材５２を拡大して示す。
前記ロック装置プレート４２は、略長方形の下半部４３と、該下半部４３よりも横幅が大の略台形の上半部４４が一連に形成されたプラスチック製板体からなり、前記上半部４４の前面に２つの軸支部４５、４５が横方向に所定距離離して立設されている。前記軸支部４５、４５は、横方向に軸挿入孔４６、４６が形成され、該軸挿入孔４６、４６にロックカバー部材５２が下部で回動可能に軸着されている。前記ロック装置プレート４２は、上端に上部固定用突部４７、４７が形成され、また下端に複数の下部固定用突部４８が所定間隔で形成されている。前記上部固定用突部４７、４７を、前記容器本体１１のフランジ１８に下向きに形成されている前記把持片本体爪受け部１９、１９の下面の孔に挿入し、前記下部固定用突部４８を後述のポケット部材６５の底面壁部６８の係合用凹部７０に係合させ、その状態でポケット部材６５を容器本体１１の外壁部１４の前側外面１６に形成されている４箇所のポケット部材取付孔１７に固定することにより、前記容器本体１１の前側外面１６に前記ロック装置プレート４２がロックカバー部材５２と共に取り付けられる。
【００２０】
前記ロックカバー部材５２は、プラスチック製からなり、起立状態時に前側となる前側壁部５３と、前記前側壁部５３の両側部から背面方向へ延設された側部壁部５４、５４と、前側壁部５３の下端から背面方向へ延設された底部壁部５５とよりなり、前記ロックカバー部材５２の起立状態時に、閉状態の前記上蓋２１の把持片２５を外側（前面側）から覆うことのできる大きさとされている。前記ロックカバー部材５２の側部壁部５４、５４の外面には、ロックカバー部材５２の起立状態時に下部となる位置に、回動用軸（図示せず）が形成され、前記回動用軸が前記ロック装置プレート４２の軸支部４５、４５における軸挿入孔４６、４６に挿入されることにより、前記ロックカバー部材５２が下部を支点として起立状態（図５の状態）と、前記ロック装置プレート４２及び前記容器本体１１の前側外面１６から上部が離れて倒れた傾斜状態（図３及び図４の状態）間を回動可能に取り付けられている。
【００２１】
前記ロックカバー部材５２の両側の側部壁部５４、５４における自由端側（起立時の上端側）には、前記ロックカバー部材５２が起立状態とされた際に、閉状態の上蓋２１の把持片本体部２６の側部２６ａ、２６ａに外側から係合して該ロックカバー部材５２の回動を防止する側部係合爪５７、５７が内向きに形成されている。前記側部係合爪５７、５７の先端の間隔は、前記把持片本体部２６の側部２６ａ、２６ａ間の距離（把持片本体部２６の幅）よりも所定寸法（例えば３〜５ｍｍ）狭くされている。さらに、前記側部係合爪５７、５７は、前記上蓋２１が閉状態とされた状態で、前記ロックカバー部材５２が倒れた傾斜状態から起立状態へ回動されて前記把持片本体部２６の側部２６ａ、２６ａに係合する際に、前記側部係合爪５７、５７が前記把持片本体部２６の側部２６ａ、２６ａを乗り越えて係合し易いように、前記係合時に前記把持片本体部２６の側部２６ａ、２６ａと当たる背面の部分については先端へ向かって傾斜した傾斜面５７ａ、５７ａで形成されている。なお、前記側部係合爪５７、５７における前記傾斜面５７ａ、５７ａとは反対の内面については、前記把持片本体部２６の側部２６ａ、２６ａと前記側部係合爪５７、５７が係合した状態で、前記ロックカバー部材５２に倒れる方向の回動力を加えても、前記把持片本体部２６の側部２６ａ、２６ａと前記側部係合爪５７、５７の係合が外れ難いように、平面で構成されている。
【００２２】
また、前記ロックカバー部材５２の前側壁部５３の内面には、前記ロックカバー部材５２の起立状態時に上部となる位置に、前記閉状態の上蓋２１の把持片先端部２８の上面２８ａに乗って前記把持片先端部２８と係合し、前記把持片先端部２８の上方移動、すなわち上蓋２１の上方回動を防止する上部突起５８を有する。なお、本実施形態では、前記上部突起５８が前記上蓋２１の把持片先端部２８の上面２８ａに乗ることが係合となっている。さらに、前記ロックカバー部材５２の前側壁部５３の外面（前面）には、前記ロックカバー部材５２の起立状態時に上部となる位置に、解除キーガイド入り口部５９が上向き筒状に形成されている。
【００２３】
また、前記ロックカバー部材５２と前記上蓋２１の把持片先端部２８は、前記上蓋２１の閉状態で前記ロックカバー部材５２を起立させることによって前記閉状態がロックされたロック状態では、図７及び図８に示すように、前記把持片先端部２８の先端２８ｂと前記ロックカバー部材５２の前側壁部５３との隙間ｂが、前記把持片本体爪２９と前記把持片本体爪受け部１９との重なり寸法ａより小さくなるように、前記把持片先端部２８の長さ及び起立状態の前記ロックカバー部材５２の前側壁部５３の位置が設定されている。
【００２４】
ポケット部材６５は、プラスチック製からなり、前側壁部６６と、前側壁部６６の両側部から背面方向へ延設された側部壁部６７、６７と、前側壁部６６の下部から背面方向へ延設された底面壁部６８とで構成されている。前記側部壁部６７、６７には４個のポケット部材係合突起６９が形成され、また、前記底面壁部６８の先端には、複数の係合用凹部７０が形成されている。前記ポケット部材６５は、前記底面壁部６８の複数の係合用凹部７０に前記ロック装置プレート４２の下端の複数の下部固定用突部４８を係合させ、前記側部壁部６７、６７の４個のポケット部材係合突起６９を、前記容器本体１１の前側外面１６における４箇所のポケット部材取付孔１７に挿入し係合させることにより、前記ロック装置プレート４２及びロックカバー部材５２と共に前記容器本体１１の前側外面１６に固定される。前記容器本体１１の前側外面１６の外面と前記ポケット部材６５の内面間は、請求書や、パンフレット等の収容部として使用される。
【００２５】
前記解除キー８１は、本実施例ではプラスチック製からなり、図２に示すように、キー本体部８２に第一ロック解除部８５、８５と解除キーガイド部８６と第二ロック解除部８７が形成されている。
前記キー本体部８２は、図示の例では略Ａ形状からなり、両側部８３、８３の下部には、起立状態の前記カバー部材５２の前記側部壁部５４、５４間に挿入可能な突部８４、８４が下向きに延設されている。前記両側部８３、８３間の幅（距離）は、前記突部８４、８４の下端位置で前記カバー部材５２の前記側部壁部５４、５４間の距離よりも小とされている。また、前記両側部８３、８３は、前記突部８４、８４の下端より上方位置に、前記カバー部材５２の前記側部壁部５４、５４を外方へ押して前記側部係合爪５７、５７間を押し拡げ、前記上蓋２１の把持片本体部２６の側部２６ａ、２６ａに対する前記側部係合爪５７、５７の係合を解除する前記第一ロック解除部８５、８５が外方へ突出形成されている。
【００２６】
前記突部８３．８３の前面に前記第二ロック解除部８７、８７が形成されている。前記第二ロック解除部８７、８７は、前記突部８３、８３の下端の前面から上方へ向けて前方（外方）へ傾斜した前記突部８３、８３の前面で構成されている。前記第二ロック解除部８７、８７は、前記解除キー８１の挿入時、前記第一ロック解除部８５、８５による前記側部係合爪５７、５７の係合解除後に、前記ロックカバー部材５２の上部側を該ロックカバー部材５２の倒れる方向へ押し、前記ロックカバー部材５２を倒して前記上蓋２１の把持片先端部２８に対する前記上部突起５８の係合を解除するように構成されている。
【００２７】
前記キー本体部８２の下部には前記突部８４、８４間の位置に前記解除キーガイド部８６が形成されている。前記解除キーガイド部８６は、前記解除キー８１の挿入をガイドするものであり、下向きの爪片からなり、起立状態の前記ロックカバー部材５２の前記側部壁部５４、５４間に前記キー本体部８２の下部の突部８４、８４が挿入される際、前記解除キーガイド入り口部５９に挿入可能に形成されている。前記解除キーガイド部８６は、上部側（基部側）が下端側（自由端側）よりもキー本体部８２の前面外方への突出が大にされた屈曲形状からなり、前記解除キー８１を前記ロックカバー部材５２の倒す方向へ押し易く構成されている。
【００２８】
前記解除キー８１による作用を説明する。起立状態の前記ロックカバー部材５２の前記解除キーガイド入り口部５９に前記解除キー８１の解除キーガイド部８６が挿入されると共に、前記側部壁部５４、５４間に前記キー本体部８２の下部の前記突部８４、８４が挿入されることにより、まず、前記上蓋２１の把持片本体部２６の側部２６ａ、２６ａに対する前記側部係合爪５７、５７の係合が前記第一ロック解除部８５、８５によって解除される。そして、前記側部係合爪５７、５７の係合が解除された状態で前記キー本体部８２の挿入がさらに進むと、前記第二ロック解除部８７により前記ロックカバー部材５２の前側壁部５３が外方（容器本体１１の前方）へ押され、それによって図４のように前記ロックカバー部材５２が倒れ、前記把持片本体部２６の側部２６ａ、２６ａから前記側部係合爪５７、５７が離れると共に、前記把持片先端部２８の上面２８ａに対する上部突起５８の係合が解除され、これによって閉状態のロックが解除される。
【００２９】
前記保管容器１０の閉状態時のロックについて説明する。図３に示すように前記ロックカバー部材５２が倒れた傾斜状態で、前記上蓋２１を回動させて、図４のように前記容器本体１１の上面開口部に被せて閉状態とする。前記回動による上蓋２１の閉時、前記上蓋２１の把持片本体部２６に形成されている前記把持片本体爪２９、２９は、前記容器本体１１の外面の把持片本体爪受け部１９、１９の外側下部に一旦衝突し、さらに上蓋２１を閉方向に回動させることにより、前記把持片２５が弾性変形して前記把持片本体爪２９、２９が前記把持片本体爪受け部１９、１９の下側に進入する。これにより、前記把持片本体爪受け部１９、１９と把持片本体爪２９、２９が上下に重なって係合する。次に、図５ないし図８に示すように、前記ロックカバー部材５２を起立させて前記容器本体１１の前側壁面１６側へ押し付ける。これにより、前記ロックカバー部材５２の側部係合爪５７、５７が、前記閉状態の上蓋２１の把持片本体部２６の側部２６ａ、２６ａを外側から挟むようにして該側部２６ａ、２６ａに係合し、前記ロックカバー部材５２の倒れる方向への回動を防止すると共に、前記ロックカバー部材５２の前側壁部５３における上部内面の上部突起５８が、前記閉状態の上蓋２１の把持片先端部２８の上面２８ａに乗って前記把持片先端部２８と係合し、さらに前記把持片先端部２８の先端２８ｂと前記ロックカバー部材５２の前側壁部５３との隙間ｂが、前記把持片本体爪２９と前記把持片本体爪受け部１９との重なり寸法ａより小さくなるため、これらによって前記把持片先端部２８の外方変位を防止して閉状態をロックする。
【００３０】
一方、閉状態でロックされた前記保管容器のロック解除には、図９及び図１０に示すように、前記解除キー８１のキー本体部８２の下部を、前記上蓋２１の把持片本体部２６の前面と前記ロックカバー部材５２の前側壁部５３の内面間における上部内面間における前記側部壁部５４、５４間に挿入すると共に、前記解除キー８１の解除キーガイド部８６を、前記ロックカバー部材５２の前記解除キーガイド入り口部５９に挿入する。前記解除キー８１のキー本体部８２の下部の挿入により、前記側部係合爪５７、５７間が前記第一ロック解除部８５、８５により拡げられて前記把持片本体部２６の側部２６ａ、２６ａに対する係合が解除される。その後に前記第二ロック解除部８７によって前記ロックカバー部材５２の上部側がロックカバー部材の倒れる方向へ押され、前記ロックカバー部材５２が図４のように倒れて前記上蓋２１の閉状態のロックが解除される。
【００３１】
なお、前記ロックカバー部材５２には、前記上部突起５８を設けなくてもよい。前記ロックカバー部材５２が前記上蓋２１の把持片２５を覆っているので、前記把持片２５に触れることができず、前記把持片２５を変形させて前記把持片本体爪２９と前記把持片本体爪受け部１９との係合を外すことができなくなるため、前記上蓋２１の閉状態をロックすることができる。
【００３２】
前記実施形態では、前記ロックカバー部材５２が起立したロック状態時、前記把持片先端部２８の先端２８ｂと前記ロックカバー部材５２の前側壁部５３との隙間ｂが、前記把持片本体爪２９と前記把持片本体爪受け部１９との重なり寸法ａより小さくなるように構成されているが、図１１に示す他の実施形態の保管容器１０Ａのように、上蓋２１Ａの把持片２５Ａにおける把持片本体部２６Ａとロックカバー部材５２Ａの上部突起５８Ａとの隙間ｄが、前記把持片本体部２６Ａの把持片本体爪２９Ａと、容器本体１１Ａの把持片本体爪受け部１９Ａとの重なり寸法ｃより小さくなるように構成してもよい。なお、前記保管容器１０Ａの構成部分は、符号にＡを付記して先の実施形態の保管容器１０と区別したが、前記した把持片２５Ａの構成以外については、先の前記保管容器１０における構成、例えば前記容器本体１０、前記上蓋２１、前記ロック装置４１及び前記解除キー８１等の構成と同様の構成からなる。
【００３３】
このように、実施形態の保管容器は、上蓋による閉状態時にロックカバー部材を起立させて上蓋の把持片を覆うことにより、閉状態をロックすることができ、ロックを容易に行うことができる。しかも、把持片本体部における側部にロックカバー部材が係合するため、正しい解除キーを用いない場合にはロック解除が容易ではなく、ロック解除防止効果が高い。また、実施形態の保管容器は、保管容器の使用者の要求に応じてロック装置を容器本体に設けたり、設けないようにしたりすることが簡単に可能となり、しかも、ロック装置を設けない場合にも、ロック装置の取付用孔などがポケット部材で隠されて露出することがなく、外観が損なわれることもない。なお、本発明は、前記ロック装置プレートを介することなく、ロックカバー部材を容器本体に直接取り付けるようにしてもよい。
【符号の説明】
【００３４】
１０、１０Ａ  保管容器
１１、１１Ａ  容器本体
１９、１９Ａ  把持片本体爪受け部
２１、２１Ａ  上蓋
２６、２６Ａ  把持片本体部
２８  把持片先端部
２９、２９Ａ  把持片本体爪
４１、４１Ａ  ロック装置
４２、４２Ａ  ロック装置プレート
５２、５２Ａ  ロックカバー部材
５７  側部係合爪
５８、５８Ａ  上部突起
５９、５９Ａ  解除キーガイド入り口部
６５、６５Ａ  ポケット部材
８１  解除キー
８２  キー本体部
８５  第一ロック解除部
８６  解除キーガイド部
８７  第二ロック解除部
【図１】
2014189295.tif 000003
【図２】
2014189295.tif 000004
【図３】
2014189295.tif 000005
【図４】
2014189295.tif 000006
【図５】
2014189295.tif 000007
【図６】
2014189295.tif 000008
【図７】
2014189295.tif 000009
【図８】
2014189295.tif 000010
【図９】
2014189295.tif 000011
【図１０】
2014189295.tif 000012
【図１１】
2014189295.tif 000013